(57)【要約】【課題】  ダブル型合紙板を使用する卓上カレンダー及びその製作方法を提供する。【解決手段】  この卓上カレンダーは、多数枚のカレンダーの中紙をフレームの背面にめくる構造ではなく、フレームの前面板上で左右にめくる構造を採択することによって、ユーザが各中紙の両面を同時に見るようにし、かつ、フレームの背面板がスプリングの多数の位置のいすれかに挟まれて前面版を支持することによって、フレームの前面板の立てられる傾斜角を調節することができる。【選択図】図１
2011098569.tif 000002
【特許請求の範囲】
【請求項１】
水平方向に延びる第１及び２折り畳み部を有する第１合紙片、前記第１及び２折り畳み部と一直線に並ぶように水平方向に延びる第３及び４折り畳み部を有するとともに、その側部が前記第１合紙片の側部と結合される第２合紙片、及び前記第１及び２合紙片の結合部分の上側一部に垂直方向に形成されるスプリング挿入孔を有する合紙板と、
前記スプリング挿入孔に嵌め込まれるスプリングと、
前記スプリングに一側が結合されて、前記スプリングを中心軸にして左右揺動する中紙と、
を含み、
前記合紙板は、互いに一直線に並ぶ前記第１及び３折り畳み部によって、前記スプリングを有する上部合紙片と前記第２及び４折り畳み部を有する下部合紙片とに区画され、前記下部合紙片は、互いに一直線に並ぶ前記第２及び４折り畳み部によって第１下部合紙片と第２下部合紙片とに区画され、
前記合紙板が前記第１及び３折り畳み部によって一定の第１折り畳み角度だけ折り畳まれ、続いて、前記第２及び４折り畳み部によって一定の第２折り畳み角度だけ折り畳まれることによって、前記合紙板の下端に該当する前記第２下部合紙片の先端が、前記スプリングの複数のピッチ間隔のうちの一つに挟まれて固定されることを特徴とする卓上カレンダー。
【請求項２】
前記合紙板は、一面に、紙材質、織物材質またはビニール材質のクロス紙が付着されることを特徴とする、請求項１に記載の卓上カレンダー。
【請求項３】
前記第２下部合紙片の先端が、前記スプリングの複数のピッチ間隔のうちの一つに挟まれて前記上部合紙片を支持することによって、
前記第１下部合紙片が前記卓上カレンダーの底面板となり、前記上部合紙片が前面板となり、前記第２下部合紙片が背面板となることを特徴とする、請求項１に記載の卓上カレンダー。
【請求項４】
前記第２下部合紙片の先端が、前記スプリングの複数のピッチ間隔のうち他の１つに挟まれて固定されることによって、前記前面板が前記底面板となす傾斜角が変わることを特徴とする、請求項３に記載の卓上カレンダー。
【請求項５】
前記第１折り畳み角度は、前記上部合紙片に対して背面方向に２０゜〜１７９゜とされ、前記第２折り畳み角度は、前記第１下部合紙片に対して前記上部合紙片の方向に２０゜〜１７９゜とされることを特徴とする、請求項１に記載の卓上カレンダー。
【請求項６】
第１合紙片に水平方向に第１及び２折り畳み部を形成する第１段階と、
第２合紙片に水平方向に第３及び４折り畳み部を形成する第２段階と、
前記第１合紙片の第１折り畳み部が前記第２合紙片の第３折り畳み部と一直線に並ぶと同時に、記第１合紙片の第２折り畳み部が前記第２合紙片の第４折り畳み部と一直線に並ぶように前記第１合紙片の側部と前記第２合紙片の側部とを当接させて配置した後に、前記第１及び２合紙片の前面または背面にクロス紙を付着することで合紙板を完成する第３段階と、
前記当接する側部を軸にして、前記第１合紙片及び前記第２合紙片を一方向に折り畳んだ後、前記折り畳まれた側部の近傍に垂直方向に並ぶスプリング挿入孔を形成する第４段階と、
前記スプリング挿入孔にスプリングを嵌め込みながら前記スプリングに多数枚のカレンダーの中紙を綴じる第５段階と、
前記締め付けられたスプリングの末端をカッティングするとともにその末端の開いている部位を閉じることで、前記カレンダー中紙、前記スプリング及び前記合紙板から構成される半製品を完成する第６段階と、
互いに一直線に並ぶ前記第１折り畳み部及び前記第３折り畳み部を、前記半製品の背面方向に折り畳んで底面板を形成する第７段階と、
前記底面板において互いに一直線に並ぶ前記第２折り畳み部及び前記第４折り畳み部を前記底面板に対して一定の折り畳み角度だけ折り畳んで、前記スプリングの多数のピッチのうち一地点に挟めて結合することで完成品を完成する第８段階と、
からなることを特徴とする卓上カレンダー製作方法。
【請求項７】
前記第４段階は、
前記スプリング挿入孔を、互いに一直線に並ぶ前記第１折り畳み部及び前記第３折り畳み部によって区画される前記合紙板の上部板及び下部板のうち、前記上部板に形成することを特徴とする、請求項６に記載の卓上カレンダー製作方法。
【請求項８】
前記第１及び３折り畳み部は、前記合紙板の上端から垂直方向に２／４の地点に形成し、
前記第２及び４折り畳み部は、前記合紙板の上端から垂直方向に３／４の地点に形成することを特徴とする、請求項６に記載の卓上カレンダー製作方法。
【請求項９】
前記第７段階は、
前記第１折り畳み部及び前記第３折り畳み部を、前記半製品の背面方向に２０゜〜１７９゜の折り畳み角度だけ折り畳んで前記底面板を形成することを特徴とする、請求項６に記載の卓上カレンダー製作方法。
【請求項１０】
前記第８段階は、
前記第２折り畳み部及び前記第４折り畳み部を前記底面板に対して２０゜〜１７９゜の折り畳み角度だけ折り畳んで、前記スプリングの多数のピッチのうち一地点に挟めて結合することを特徴とする、請求項６に記載の卓上カレンダー製作方法。
【発明の詳細な説明】
【技術分野】
【０００１】
本発明は、ダブル型合紙板を使用する卓上カレンダー及びその製作方法に関するものである。
【背景技術】
【０００２】
カレンダー(こよみ）は、日常生活や宗教意識または歴史的・科学的な目的に有用なように、１年間の月日、二十四節気、七曜、祭日などを日を追って記したものである。
【０００３】
カレンダーは、壁に掛けて使用する壁掛けタイプと、テーブルなどに立て置く卓上タイプとに大別することができる。
【０００４】
一般に、卓上カレンダーは、複数の用紙をコイル状スプリングのような結合手段を用いてフレームに結合させてなる構造である。
【０００５】
かかる卓上カレンダーは、カレンダーをテーブルなどに起立させるフレームと、複数の中紙、及びフレームと複数の中紙とを結合させるためのスプリングと、で構成される。
【０００６】
卓上カレンダーを例にすると、テーブルなどに起立しうるような構造のフレームと、総じてひと月１枚、１２ヵ月分で１２枚の中紙と、フレームと中紙とを綴るためのスプリングと、からなる。
【０００７】
フレームは、表紙板、裏表紙板及び底板からなる三角錐の形状とされる。
【０００８】
カレンダーの複数枚の中紙は、各月の日とその関連情報が印刷されてフレームの表紙板に配置される。一般に、各中紙は、前面に日とその関連情報が印刷され、背面には図案や広告などが印刷される。
【０００９】
スプリングのような結合手段は、カレンダーの各中紙が分離されることを防止しながら、各中紙が前方から後方にめくられるように結合する。
【００１０】
そして、従来の卓上カレンダーは、結合手段により結合された状態の中紙を、フレームの表紙板上に取り付けるための取付手段をさらに含む。
【００１１】
従来の卓上カレンダーは、表紙板１枚、裏表紙板１枚、底板２枚の合計４枚で製作しなければならず、製作コストが高い。
【００１２】
また、従来の卓上カレンダーは、各中紙を後ろにめくる形態とされているため、単面広告しかできないという問題点があった。すなわち、ユーザは、中紙の各頁の前面に印刷された日及びその関連情報を見ることはできるが、背面に印刷された図案や広告は見ることができなかった。また、頁をめくった後にも、背面に印刷された図案や広告は、既にフレームの裏表紙の方にめくられた状態であるから、その図案や広告を見るためにはフレームの裏表紙板を前方にして見なければならず、この場合は、次の頁の前面に印刷された日及びその関連情報を見ることができなくなっしまう。
【００１３】
特に、フレームが三角錐形状の固定した構造となっているため、ユーザが自由にその高さを調節することができないという問題点もあった。
【発明の概要】
【発明が解決しようとする課題】
【００１４】
本発明は、上記の点に鑑みてなされたもので、その目的は、カレンダーの各中紙をフレームの後ろにめくる構造ではなく、フレームの前面板上において左右にめくる構造とすることによって、ユーザが各中紙の両面を同時に見ることができる、ダブル型合紙板を使用する卓上カレンダー及びその製作方法を提供することにある。
【００１５】
本発明の他の目的は、フレームの背面板がスプリングの幾つかの位置に嵌め込まれて前面板を支持することによって、フレームの前面板が立てられる傾斜角を調節することができる、ダブル型合紙板を使用する卓上カレンダー及びその製作方法を提供することにある。
【課題を解決するための手段】
【００１６】
上記の目的を達成するための本発明に係るダブル型合紙板を使用する卓上カレンダーは、
水平方向に延びる第１及び２折り畳み部を有する第１合紙片、前記第１及び２折り畳み部と一直線に並ぶように水平方向に延びる第３及び４折り畳み部を有するとともに、その側部が前記第１合紙片の側部と結合される第２合紙片、及び前記第１及び２合紙片の結合部分の上側一部に垂直方向に形成されるスプリング挿入孔を有する合紙板と、
前記スプリング挿入孔に締め付けられるスプリングと、
前記スプリングに一側が結合されて、前記スプリングを中心軸にして左右揺動する中紙と、
を含み、
前記合紙板は、互いに一直線に並ぶ前記第１及び３折り畳み部によって、前記スプリングを有する上部合紙片と前記第２及び４折り畳み部を有する下部合紙片とに区画され、前記下部合紙片は、互いに一直線に並ぶ前記第２及び４折り畳み部によって第１下部合紙片と第２下部合紙片とに区画され、
前記合紙板が前記第１及び３折り畳み部によって一定の第１折り畳み角度だけ折り畳まれ、続いて、前記第２及び４折り畳み部によって一定の第２折り畳み角度だけ折り畳まれることによって、前記合紙板の下端に該当する前記第２下部合紙片の先端が、前記スプリングの多数のピッチのうちの一地点に挟まれて固定されることを特徴とする。
【００１７】
上記の目的を達成するための本発明に係るダブル型合紙板を使用する卓上カレンダーの製作方法は、
第１合紙片に水平方向に第１及び２折り畳み部を形成する第１段階と、
第２合紙片に水平方向に第３及び４折り畳み部を形成する第２段階と、
前記第１合紙片の第１折り畳み部が前記第２合紙片の第３折り畳み部と一直線に並ぶと同時に、記第１合紙片の第２折り畳み部が前記第２合紙片の第４折り畳み部と一直線に並ぶように前記第１合紙片の側部と前記第２合紙片の側部とを当接させて配置した後に、前記第１及び２合紙片の前面または背面にクロス紙を付着することで合紙板を完成する第３段階と、
前記当接する側部を軸にして、前記第１合紙片及び前記第２合紙片を一方向に折り畳んだ後、前記折り畳まれた側部の近傍に垂直方向に並ぶスプリング挿入孔を形成する第４段階と、
前記スプリング挿入孔にスプリングを締め付けながら前記スプリングに多数枚のカレンダーの中紙を綴じる第５段階と、
前記締め付けられたスプリングの末端をカッティングするとともにその末端の開いている部位を閉じることで、前記カレンダー中紙、前記スプリング及び前記合紙板から構成される半製品を完成する第６段階と、
互いに一直線に並ぶ前記第１折り畳み部及び前記第３折り畳み部を、前記半製品の背面方向に折り畳んで底面板を形成する第７段階と、
前記底面板において互いに一直線に並ぶ前記第２折り畳み部及び前記第４折り畳み部を前記底面板に対して一定の折り畳み角度だけ折り畳んで、前記スプリングの多数のピッチのうち一地点に挟めて結合することで完成品を完成する第８段階と、
からなることを特徴とする。
【発明の効果】
【００１８】
カレンダーの中紙をフレームの背面方向にめくるカレンダー構造では、一方向から中紙の一面しか見ることができなかったが、本発明によると、スプリングに綴られる中紙がフレームの前面板上で左右にめくられる構造とされるので、ユーザは中紙の両面を同時に見ることができる。その結果、本発明では、展開されている中紙に両面広告をすることが可能になる。
【００１９】
また、前面板及び背面板が三角錐の形状に固着される構造では、前面板の立てられる角度を調節することかできなかったが、本発明によると、前面板を支持する背面板が、前面板に締め付けられたスプリングの複数のピッチ間隔のうちいずれかに挟まれて固定される構造とされるため、フレームの前面板が立てられる角度を調節することができる。その結果、本発明によると、前面板の立てられる角度をユーザが自由に調節して、カレンダーを希望の高さで見ることが可能になる。
【図面の簡単な説明】
【００２０】
【図１】本発明によるフレームの前面板が立てられる傾斜角の調節が可能な卓上両面カレンダーを示す斜視図である。
【図２】本発明によるフレームの前面板が立てられる傾斜角の調節が可能な卓上両面カレンダーの構成要素を示す分解斜視図である。
【図３】本発明に係る第１合紙片の構成を示す斜視図である。
【図４】本発明に係る第２合紙片の構成を示す斜視図である。
【図５】本発明に係る第１合紙片と第２合紙片との連結を示す例示図である。
【図６】本発明によるダブル型合紙板において縦方向に並んで形成されるスプリング挿入孔を示す例示図である。
【図７】本発明によってスプリング挿入孔にスプリングを自動で締め付ける過程を説明するための例示図である。
【図８】本発明によって締め付けられたスプリングに複数の中紙を結合する過程を説明するための例示図である。
【図９】本発明によるダブル型合紙板を背面方向に折り畳んで底面板を形成する過程を示す例示図である。
【図１０】本発明によるダブル型合紙板を背面方向に一定角度だけ折り畳んで背面板を形成する過程を示す例示図である。
【図１１】本発明によるフレームの前面板が立てられる傾斜角の調節が可能な卓上両面カレンダーの製作方法を示す順序図である。
【図１２】本発明による第１合紙片に第１折り畳み部及び第２折り畳み部を形成する過程を示す順序図である。
【図１３】本発明による第２合紙片に第３折り畳み部及び第４折り畳み部を形成する過程を示す順序図である。
【発明を実施するための形態】
【００２１】
以下、本発明の好適な実施例を、添付の図面を参照しつつ説明する。
【００２２】
以下では、卓上カレンダーを例に取って説明するが、本発明は卓上カレンダーに限定されるものではなく、本願の製品構造を用いるいかなる出版物や文具類などにも適用可能である。したがって、以下に説明する卓上両面カレンダーは、ワイヤーバウンド製品の一例として理解すべきである。
【００２３】
図１は、本発明によるフレームの前面板が立てられる傾斜角の調節が可能な卓上両面カレンダーを示す斜視図であり、図２は、本発明によるフレームの前面板が立てられる傾斜角の調節が可能な卓上両面カレンダーの構成要素を示す分解斜視図である。
【００２４】
本発明による卓上両面カレンダーは、合紙板１００、クロス紙２００、スプリング４００、及びカレンダーの中紙３００から構成される。
【００２５】
まず、本発明による合紙板１００について説明する。本発明で使われる合紙板１００は、直方形の２枚の合紙片を１:１の割合で並んで結合したもので、以下ではダブル型合紙板と称されることもあり、同一符号を使用する。また、ダブル型合紙板１００を形成する２枚の合紙片、すなわち、第１合紙片１１０と第２合紙片１２０とに区別して説明する。ダブル型合紙板１００は、直方形の第１合紙片１１０及び第２合紙片１２０で構成される。以下では、第１合紙片１１０及び第２合紙片１２０が立てられた状態、すなわち、縦長が横長よりも長い場合として説明する。
【００２６】
第１合紙片１１０は、水平方向(横方向)に延びる第１及び２折り畳み部１１４，１１５を有する。
【００２７】
第２合紙片１２０も同様、水平方向に延びる第３及び４折り畳み部１２４，１２５を有する。
【００２８】
第１合紙片１１０の一側部と第２合紙片１２０の一側部とが並んで結合する場合、第１及び２折り畳み部１１４，１１５は、第３及び４折り畳み部１２４，１２５と並んで水平方向に配置される。
【００２９】
第１合紙片１１０及び第２合紙片１２０の側部結合は、第１合紙片１１０の側部と第２合紙片１２０の側部とを当接配置した後、第１合紙片１１０及び第２合紙片１２０の一面にクロス紙２００を付着することで、ダブル型合紙板１００を完成する。例えば、紙材質、織物材質またはビニール材質のクロス紙２００を、当接配置されている第１合紙片１１０及び第２合紙片１２０の前面または裏面に接着する。このクロス紙２００は、第１合紙片１１０及び第２合紙片１２０がそれらの結合部位で動けるようにヒンジの役目を果たす。なお、クロス紙２００は、第１折り畳み部１１４が第３折り畳み部１２４と一緒に動けるように、また、第２折り畳み部１１５が第４折り畳み部１２５と一緒に動けるようにヒンジの役目を果たす。
【００３０】
ダブル型合紙板１００は、多数のホール対からなるスプリング挿入孔をさらに含む。ダブル型合紙板１００は、第１合紙片１１０と第２合紙片１２０との結合部分のうち上側一部に垂直方向(縦方向)にスプリング挿入孔が形成される。このスプリング挿入孔の形成については、図６を参照して詳細に後述する。
【００３１】
本発明による卓上カレンダーは、スプリング挿入孔に嵌め込まれるスプリング４００を含み、このスプリング４００に一側が結合されて、スプリング４００を中心軸にして左右揺動するカレンダーの中紙３００をさらに含む。
【００３２】
ダブル型合紙板１００は、カレンダーの中紙３００を支持するとともに、中紙３００が結合されるスプリング４００が締め付けられる。
【００３３】
一方、ダブル型合紙板１００は、一直線に並ぶ第１及び３折り畳み部１１４，１２４によって上部合紙片と下部合紙片とに区画される。なお、下部合紙片は、一直線に並ぶ第２及び４折り畳み部１１５，１２５によって第１下部合紙片と第２下部合紙片とに区画される。以下では、上部合紙片を前面板１１１，１２１、第１下部合紙片を底面板１１２，１２２、そして第２下部合紙片を背面板１１３，１２３として説明する。
【００３４】
ダブル型合紙板１００を第１及び３折り畳み部１１４，１２４で背面方向に折り畳み、第２及び４折り畳み部１１５，１２５で再び折り畳むことで、図１に示すように、前面板１１１，１２１、底面板１１２，１２２、そして上部合紙片に該当する前面板１１１，１２１を支持する背面板１１３，１２３からなる卓上カレンダーを形成する。
【００３５】
前面板１１１，１２１は、左側前面板１１１及び右側前面板１２１で構成され、底面板１１２，１２２は、左側底面板１１２及び右側底面板１２２で構成され、背面板１１３，１２３は、左側背面板１１３及び右側背面板１２３で構成される。
【００３６】
さらにいうと、ダブル型合紙板１００は、第１及び３折り畳み部１１４，１２４により一定の第１角度だけ折り畳まれ、続いて第２及び４折り畳み部１１５，１２５により一定の第２角度だけ再び折り畳まれる。これにより、ダブル型合紙板１００の下端に該当する背面板１１３，１２３の先端が、スプリング４００の多数のピッチの一定の地点に挟まれて前面板１１１，１２１を支持する。
【００３７】
背面板１１３，１２３は、前面板１１１，１２１を支持し、背面板１１３，１２３の先端がスプリング４００の多数のピッチのいずれの地点にも挟まれて固定されることができるため、高さ調節が可能となる。すなわち、背面板１１３，１２３の先端が、スプリング４００の多数のピッチの一地点から別の地点へと変更結合することによって、前面板１１１，１２１の底面板１１２，１２２に対する傾斜角が変わるわけである。
【００３８】
そして、図１に示す構造とするために、第１及び３折り畳み部１１４，１２４により折り畳まれる第１角度は、前面板１１１，１２１に対して背面方向に２０゜〜１７９゜とすることができ、第２及び４折り畳み部１１５，１２５により折り畳まれる第２角度は、底面板１１２，１２２から前面板１１１，１２１に向かう方向に２０゜〜１７９゜とすることができる。
【００３９】
第１及び３折り畳み部１１４，１２４により一定の第１角度だけ折り畳まれ、引き続き第２及び４折り畳み部１１５，１２５により一定の第２角度だけ再び折り畳まれた状態のダブル型合紙板１００の構造について説明すると、ダブル型合紙板１００は、水平方向に延びる、互いに平行な少なくとも２つの折り畳み部を有し、中央において垂直方向に延びる別の１つの折り畳み部を有する。そして、中央において垂直方向に沿ってスプリング挿入孔を有し、このスプリング挿入孔は、前面板１１１，１２１の中央に形成することが好ましい。ここで、水平方向に延びる少なくとも２つの折り畳み部のうちいずれか一方は、第１及び３折り畳み部１１４，１２４に該当し、いずれか他方は、第２及び４折り畳み部１１５，１２５に該当する。垂直方向に延びる折り畳み部は、第１合紙片１１０と第２合紙片１２０との結合部分に該当する。
【００４０】
ここで、第１及び３折り畳み部１１４，１２４と第２及び４折り畳み部１１５，１２５はそれぞれ、前面板１１１，１２１に対して背面方向に折り畳まれるが、第１合紙片１１０と第２合紙片１２０との結合部分に該当する折り畳み部は、以降、図６に示すように、前面方向に折り畳まれることが好ましい。すなわち、折り畳まれる方向を互いに逆にすることが好ましい。
【００４１】
第１及び３折り畳み部１１４，１２４は、ダブル型合紙板１００の全体面において垂直方向の中央で、すなわち、ダブル型合紙板１００の上端から垂直方向に沿う２／４の地点で水平方向に形成される。
【００４２】
第２及び４折り畳み部１１５，１２５は、ダブル型合紙板１００を第１及び３折り畳み部１１４，１２４によって区画したときの下部合紙片において垂直方向の中央に、すなわち、ダブル型合紙板１００の上端から垂直方向に沿う３／４の地点で水平方向に形成される。
【００４３】
スプリング４００にはワイヤーバウンドスプリングを使用し、このスプリング４００は、ダブル型合紙板１００を第１及び３折り畳み部１１４，１２４によって区画した時の上部合紙片の垂直方向に、中央に形成されるスプリング挿入孔（図６の符号１５１）に締め付けられ、このスプリング４００には複数枚のカレンダーの中紙３００の一側が結合される。
【００４４】
要するに、第１及び３折り畳み部１１４，１２４と第２及び４折り畳み部１１５，１２５によってダブル型合紙板１００が一定の角度で連続して折り畳まれた状態で、ダブル型合紙板１００の下端がスプリング４００の多数ピッチのうち一定の地点に挟まれて固定されることによって、傾斜角の調節が可能な卓上カレンダーが完成する。
【００４５】
カレンダーの中紙３００は、前面板１１１，１２１を構成する左側前面板１１１または右側前面板１２１のサイズ（横×縦）と等しい、または小さいサイズを有する。左側前面板１１１と右側前面板１２１は、カレンダーの中紙３００を左右にめくる際に各中紙を支持する役割を果たす。
【００４６】
底面板１１２，１２２は、図１に示すような構造において前面板１１１，１２１と背面板１１３，１２３を支持する役割を果たす。
【００４７】
背面板１１３，１２３は、前面板１１１，１２１が一定の傾斜角で立てられるように支持する役割をし、且つ、前面板１１１，１２１の傾斜角を調節する役割をする。
【００４８】
図３は、本発明に係る第１合紙片１１１の構成を示す斜視図であり、図４は、本発明に係る第２合紙片１２１の構成を示す斜視図である。
【００４９】
本発明による第１折り畳み部１１４は、直方形の第１合紙片１１０の裏面において長さ方向に沿う２／４地点Ａで横方向に折り畳み用の第１破線状の溝１１４ａを形成し、左側前面板１１１と左側底面板１１２との境界線とする。第１折り畳み部１１４を形成するための第１破線状の溝１１４ａによって左側底面板１１２が背面方向に２０゜〜１７９゜の角度で折り畳まれる。
【００５０】
ここで、折り畳み用の第１破線状の溝１１４ａは、図３に示すように、０．１〜０．５ｍｍの幅と、０．１〜０．４ｍｍの深さで凹んで断面半円状の溝とされる。
【００５１】
本発明による第２折り畳み部１１５は、直方形の第１合紙片１１０の裏面において長さ方向に沿う３／４地点Ｂで横方向に折り畳み用の第２破線状の溝１１５ａを形成し、左側底面板１１２と左側背面板１１３との境界線とする。第２折り畳み部１１５を形成するための第２破線状の溝１１５ａにより左側背面板１１３がスプリング方向に２０゜〜１７９゜の角度で折り畳まれる。
【００５２】
ここで、折り畳み用の第２破線状の溝１１５ａは、図３に示すように、０．１〜０．５ｍｍの幅と、０．１〜０．４ｍｍの深さで凹んで断面半円状の溝とされる。
【００５３】
ここで、０．１〜０．５ｍｍの溝幅とする理由は、溝幅が０．５ｍｍを超えるとクロス紙２００との結合部位の結合力が弱くなるため、長時間使用時に裂け易く、亀裂ができるからである。
【００５４】
そして、０．１〜０．４ｍｍの溝深さとする理由は、溝深さが０．４ｍｍを超えると、前面板１１１，１２１と底面板１１２，１２２とが完全に分離される恐れがあるためである。
【００５５】
また、第１破線状の溝１１４ａを断面半円状の溝とすることによって、折り畳み動作による折り畳み部位における摩擦力を低減することができる。このため、長時間使用時に裂けたり亀裂ができたりする現象を防止することができる。また、本発明では、図９に示すように、左側前面板１１１の上端隅部及び右側前面板１２１の上端隅部に第１マグネチック部１８０ｂが設けられ、第１マグネチック部１８ｂと対をなす第２マグネチック部１８０ａが、左側背面板１１３の下端隅部及び右側背面板１２３の下端隅部に設けられる。
【００５６】
第２合紙片１２０は、直方形の形状に形成され、カレンダーの中紙３００を右側面で支持し、クロス紙２００により第１合紙片１１０と長さ方向に並んで結合される。
【００５７】
第１合紙片１１０と第２合紙片１２０とがクロス紙２００により接着結合することで、前述した前面板１１１，１２１、底面板１１２，１２２及び背面板１１３，１２３を形成する。そして、前面板１１１，１２１、底面板１１２，１２２及び背面板１１３，１２３は、第１合紙片１１０と第２合紙片１２０との結合部分に該当する折り畳み部を基準に左側の板１１１，１１２，１１３と右側の板１２１，１２２，１２３となる。
【００５８】
本発明による第３折り畳み部１２４は、直方形の第２合紙片１２０の裏面において長さ方向に沿う２／４の地点Ａで横方向に折り畳み用の第３破線状の溝１２４ａを形成し、右側前面板１２１と右側底面板１２２との境界線とする。第３折り畳み部１２４を形成するための第３破線状の溝１２４ａにより右側底面板１２２が背面方向に２０゜〜１７９゜の角度で折り畳まれる。
【００５９】
ここで、折り畳み用の第３破線状の溝１２４ａは、図４に示すように、０．１〜０．５ｍｍの幅と０．１〜０．４ｍｍの深さで凹んで断面半円状の溝とされる。
【００６０】
本発明による第４折り畳み部１２５は、直方形の第２合紙片１２０の裏面において長さ方向に沿う３／４の地点Ｂで横方向に折り畳み用の第４破線状の溝１２５ａを形成し、右側底面板１２２と右側背面板１２３との境界線とする。第４折り畳み部１２５を形成するための第４破線状の溝１２５ａにより右側背面板１２３がスプリング方向に２０゜〜１７９゜の角度で折り畳まれる。
【００６１】
ここで、折り畳み用の第４破線状の溝１２５ａは、図４に示すように、０．１〜０．５ｍｍの幅と０．１〜０．４ｍｍの深さで凹んで断面半円状の溝とされる。
【００６２】
図５は、本発明による第１合紙片と第２合紙片との連結（結合）を示す例示図である。
【００６３】
本発明による第１合紙片１１０の左側前面板１１１と第２合紙片１２０の右側前面板１２１は、図５に示すように、クロス紙２００によって１:１の割合で当接連結される。
【００６４】
そして、第１合紙片１１０の左側底面板１１２と第２合紙片１２０の右側底面板１２２とは、クロス紙２００によって１:１の割合で当接して連結されて、卓上両面カレンダーの底面を形成する。
【００６５】
また、第１合紙片１１０の左側背面板１１３と第２合紙片１２０の右側背面板１２３とは、クロス紙２００によって１:１の割合で当接して連結されて、卓上両面カレンダーの前面板１１１，１２１を支持する。
【００６６】
以下、本発明に適用されるクロス紙２００について説明する。
【００６７】
クロス紙２００は、ダブル型合紙板１００において中紙３００が置かれる前面と裏面を包んで表面を滑らかにし、ダブル型合紙板１００の各折り畳み部で亀裂ができることを防止する。
【００６８】
クロス紙２００は、薄い紙材質、織物材質またはビニール材質の表面に、丈夫な特性を有する素材が塗布されて形成されたもので、耐水性、引張、引裂、破たんにおいて優れた特性を示す。
【００６９】
本発明によるクロス紙２００をダブル型合紙板１００の前面または裏面に付着する際に使用する接着剤は、酢酸ビニル単量体（vinyl acetate monomer：VMA）１５〜３９．５ｗｔ％、エチレン０．１〜８ｗｔ％、アクリル０．１〜８ｗｔ％、及び水６０〜７５ｗｔ％の組成とする。
【００７０】
酢酸ビニル単量体の使用量が１５ｗｔ％未満の場合は、接着剤の主成分である酢酸ビニル単量体の使用量が少ないため接着性が低下し、３９．５ｗｔ％を超過する場合は、温度による粘度の変化が大きいため安定した接着剤の使用が困難である。したがって、酢酸ビニル単量体は１５〜３９．５ｗｔ％の範囲内で使用することが好ましい。
【００７１】
エチレン及びアクリルは、酢酸ビニル単量体と共重合して接着強度を向上させる役目をするもので、エチレン及びアクリル使用量がそれぞれ０．１ｗｔ％未満の場合は、接着強度の増大効果を期待し難く、８ｗｔ％を超過する場合は、相対的に酢酸ビニル単量体の使用量が減るのでむしろ接着性が低下することがある。したがって、エチレン及びアクリル使用量はそれぞれ、０．１〜８ｗｔ％の範囲を維持することが好ましい。
【００７２】
水は、接着剤の溶媒として働くもので、水の使用量が６０ｗｔ％未満の場合は、接着剤の粘度が高すぎるため接着剤の使用が容易でなく、７５ｗｔ％を超過する場合は、接着剤の粘度が低くなって流れ性が高すぎ、同様に接着剤の使用が容易でない。したがって、水は６０〜７５ｗｔ％の範囲内で使用することが好ましい。
【００７３】
接着剤は、水６０〜７５ｗｔ％に酢酸ビニル単量体（ＶＭＡ）１５〜３９．５ｗｔ％、エチレン０．１〜８ｗｔ％、及びアクリル０．１〜８ｗｔ％を、開始剤の過硫酸カリウム（Pottasium Persulfate：KPS）と共に徐々に投入した後、７５〜７２℃で３０〜４０分間熟成して製造する。
【００７４】
より具体的に、ダブル型合紙板１００にクロス紙２００を付着するために使用する接着剤は、酢酸ビニル単量体（ＶＭＡ）２９．５ｗｔ％、エチレン５ｗｔ％、アクリル５ｗｔ％、及び水６０．５ｗｔ％の組成とする。
【００７５】
また、本発明では、クロス紙２００の他に、０．４ｔ〜１．５ｔ厚の紙を使用する。この紙は、ダブル型合紙板１００においてカレンダーの中紙３００が位置する前面と裏面を包んで表面を滑らかにし、かつ、ダブル型合紙板１００の数箇所の折り畳み部で亀裂が発生することを防止する。
【００７６】
以下、本発明による卓上両面カレンダーの製作手順について説明する。
【００７７】
以下の説明では、前述の図３乃至図５に加えて、図６乃至図１３を参照する。
【００７８】
図６は、本発明によるダブル型合紙板において縦方向に並んで形成されるスプリング挿入孔を示す例示図であり、図７は、本発明によってスプリング挿入孔にスプリングを自動で嵌め込む過程を説明するための例示図である。
【００７９】
図８は、本発明によって、締め付けられたスプリングに複数の中紙を結合する過程を説明するための例示図である。
【００８０】
図９は、本発明によるダブル型合紙板を背面方向に折り畳んで底面板を形成する過程を示す例示図である。
【００８１】
図１０は、本発明によるダブル型合紙板を背面方向に一定角度折り畳んで背面板を形成する過程を示す例示図である。
【００８２】
図１１は、本発明によるフレームの前面板が立てられる傾斜角の調節が可能な卓上両面カレンダーの製作方法を示す順序図であり、図１２は、本発明による第１合紙片に第１折り畳み部及び第２折り畳み部を形成する過程を示す順序図であり、図１３は、本発明による第２合紙片に第３折り畳み部及び第４折り畳み部を形成する過程を示す順序図である。
【００８３】
まず、ダブル型合紙板１００のうち、第１合紙片に水平方向に第１折り畳み部１１４及び第２折り畳み部１１５を形成する（Ｓ１００）。
【００８４】
これは、図１２に示すように、第１折り畳み部形成段階（Ｓ１１０）と、第２折り畳み部形成段階（Ｓ１２０）とからなる。
【００８５】
第１折り畳み部形成段階（Ｓ１１０）は、図３に示すように、直方形の第１合紙片１１０の裏面において長さ方向に沿う２／４の地点で溝あけ機を用いて横方向に折り畳み用の第１破線状の溝１１４ａを形成して、左側前面板１１１と左側底面板１１２との境界線を形成する。これによって、左側底面板１１２は背面方向に２０゜〜１７９゜の角度で折り畳まれることができる。
【００８６】
第２折り畳み部形成段階（Ｓ１２０）は、図３に示すように、直方形の第１合紙片１１０の裏面において長さ方向に沿う３／４地点で溝あけ機を用いて横方向に折り畳み用の第２破線状の溝１１５ａを形成して、左側底面板１１２と左側背面板１１３との境界線を形成する。これによって、左側背面板１１３がスプリングに向かって２０゜〜１７９゜の角度で折り畳まれることができる。
【００８７】
続いて、ダブル型合紙板１００のうち、第２合紙片に第３折り畳み部１２４及び第４折り畳み部１２５を形成する（Ｓ２００）。
【００８８】
これは、図１３に示すように、第３折り畳み部形成段階（Ｓ２１０）と、第４折り畳み部形成段階（Ｓ２２０）とからなる。
【００８９】
第３折り畳み部形成段階（Ｓ２１０）は、図４に示すように、直方形の第２合紙片１２０の裏面において長さ方向に沿う２／４地点で横方向に折り畳み用の第３破線状の溝１２４ａを形成して、右側前面板１２１と右側底面板１２２との境界線を形成する。これによって、右側底面板１２２が背面方向に２０゜〜１７９゜の角度で折り畳まれることができる。
【００９０】
第４折り畳み部形成段階（Ｓ２２０）は、図４に示すように、直方形の第２合紙片１２０の裏面において長さ方向に沿う３／４地点で横方向に折り畳み用の第４破線状の溝１２５ａを形成して、右側底面板１２２と右側背面板１２３との境界線を形成する。これによって、右側背面板１２３がスプリングに向かって２０゜〜１７９゜の角度で折り畳まれることができる。
【００９１】
続いて、図５に示すように、第１及び第２折り畳み部１１４，１１５の形成された第１合紙片１１０と、第３及び第４折り畳み部１２４，１２５の形成された第２合紙片１２０とを１:１の割合で長さ方向に当接して並んで配置した後、第１合紙片１１０及び第２合紙片１２０の前面及び裏面の全体にわたってクロス紙２００を付着することで、ダブル型合紙板１００を完成する（Ｓ３００）。
【００９２】
ここで、第１合紙片１１０の第１折り畳み部１１４が第２合紙片１２０の第３折り畳み部１２４と一直線をなすとともに第１合紙片１１０の第２折り畳み部１１５が第２合紙片１２０の第４折り畳み部１２５と一直線をなすように、第１合紙片１１０の側部と第２合紙片１２０の側部とを当接させて配置し、続いて、第１及び２合紙片１１０，１２０の前面または裏面にクロス紙２００を付着することで合紙板を完成する。この時、第１合紙片１１０及び第２合紙片１２０にクロス紙２００を付着するときに使用する接着剤は、酢酸ビニル単量体（ＶＭＡ）２９．５ｗｔ％、エチレン５ｗｔ％、アクリル５ｗｔ％、及び水６０．５ｗｔ％の組成とする。
【００９３】
続いて、図６に示すように、ダブル型合紙板１００の中央線を中心に長さ方向に沿って第１合紙片１１０と第２合紙片１２０を折り畳んだ後、右縁線に沿って形成された穴あけ部１５０を穴あけ機１６０に入れて矩形または円形のスプリング挿入孔１５１を、縦方向に並んで形成する（Ｓ４００）。この場合は、第１合紙片１１０と第２合紙片１２０とが接する側部を軸にして両合紙片１１０，１２０を一方向に折り畳み、その後、折り畳まれた側部近傍に位置する穴あけ部１５０を穴あけ機１６０に入れて、垂直方向に並ぶスプリング挿入孔を形成する。
【００９４】
ここで、穴あけ機１６０は、矩形または円形のスプリング挿入孔１５１を形成する装置である。
【００９５】
続いて、図７に示すように、第１合紙片１１０と第２合紙片１２０間の中央において長さ方向に沿って形成されたスプリング挿入孔１５１に、スプリングの装着されているリング綴り機１７０を用いてスプリング４００を嵌め込みながら該スプリング４００に複数枚の中紙３００を自動で綴る（Ｓ５００）。
【００９６】
ここで、リング綴り機１７０は、スプリング４００が装着されており、カレンダーの中紙３００をスプリング挿入孔１５１に自動で綴る装置である。
【００９７】
続いて、図８に示すように、スプリング４００の装着されているリング綴り機１７０を用いて締め付けられたスプリング４００の末端をカッティングすると同時に、開いている末端の部分を閉じることで、カレンダーの中紙３００、スプリング４００、ダブル型合紙板１００を結合させることで、卓上両面カレンダーの半製品を完成する（Ｓ６００）。ここで、卓上両面カレンダーの半製品は、数回の折り畳み動作によって立てられる完成品（図１を参照）とする以前の状態であるが、全ての構成要素が完備されている状態である。
【００９８】
ここで、スプリングの末端はカッティング機によってカッティングされる。
【００９９】
続いて、図９に示すように、ダブル型合紙板１００の第１折り畳み部１１４及び第３折り畳み部１２４を、半製品の背面方向に折り畳んで底面板１１２，１２２を形成する（Ｓ７００）。この時、底面板１１２，１２２は背面板１１３，１２３を含むものとして理解しなければならない。
【０１００】
最後に、図１０に示すように、ダブル型合紙板１００の第２折り畳み部１１５及び第４折り畳み部１２５をスプリングに向かって２０゜〜１７９゜の角度で折り畳んで、背面板１１３，１２３をスプリングの複数のピッチ間隔のうちの好ましいものに挟むことで固定させる。これで、卓上両面カレンダーの完成品が得られる（Ｓ８００）。
【０１０１】
その結果、ユーザが自由に両面カレンダーの高さを調節することができ、かつ、カレンダーの中紙の各頁を左右方向にめくるものとすることによって両面広告が可能になる。
【符号の説明】
【０１０２】
１００  ダブル型合紙板；  
１１０  第１合紙片；  １１１  左側前面板；  １１２  左側底面板；  １１３  左側背面板；  
１２０  第２合紙片；  １２１  右側前面板；  １２２  右側底面板；  １２３  右側背面板；  
２００  クロス紙；  ３００  カレンダーの中紙；  ４００  スプリング。
【図１】
2011098569.tif 000003
【図２】
2011098569.tif 000004
【図３】
2011098569.tif 000005
【図４】
2011098569.tif 000006
【図５】
2011098569.tif 000007
【図６】
2011098569.tif 000008
【図７】
2011098569.tif 000009
【図８】
2011098569.tif 000010
【図９】
2011098569.tif 000011
【図１０】
2011098569.tif 000012
【図１１】
2011098569.tif 000013
【図１２】
2011098569.tif 000014
【図１３】
2011098569.tif 000015